(57)【要約】【課題】滑らかで手触り感に優れ且つ適度の抵抗感のある表面層と、復元性とクッション性に優れ且つヘタリが発生しにくいクッション層を備えた多層構造のマウスパッドを提供する。【解決手段】多層構造のマウスパッド(1)は、合成樹脂繊維製の織布からなる表面層(2)、合成樹脂繊維とガラス繊維製の織布からなる表面層、又は、ガラス繊維製の織布の少なくとも上側表面にフッソ樹脂を被覆した表面層の何れかの表面層と、この表面層の下面に両面テープ(3) にて接合された高密度ウレタンフォーム製のクッション層(4)であって３．０ｍｍ以上の厚さを有するクッション層(4)と、このクッション層(4)の下面に両面テープ(5) にて接合された合成ゴムシート製のグリップ層(6)を備えている。【選択図】図２
0003226193.tif 000002
【実用新案登録請求の範囲】
【請求項１】
合成樹脂繊維製の織布からなる表面層と、
前記表面層の下面に接合された高密度ウレタンフォーム製のクッション層であって３．０ｍｍ以上の厚さを有するクッション層と、
前記クッション層の下面に接合された合成ゴムシート製のグリップ層を備えたことを特徴とする多層構造のマウスパッド。
【請求項２】
前記表面層が合成樹脂繊維製のウーリー糸で織ったアムンゼン生地で形成されたことを特徴とする請求項１に記載の多層構造のマウスパッド。
【請求項３】
合成樹脂繊維とガラス繊維製の織布からなる表面層と、
前記表面層の下面に接合された高密度ウレタンフォーム製のクッション層であって３．０ｍｍ以上の厚さを有するクッション層と、
前記クッション層の下面に接合された合成ゴムシート製のグリップ層を備えたことを特徴とする多層構造のマウスパッド。
【請求項４】
ガラス繊維製織布の少なくとも上側表面にフッソ樹脂を被覆した表面層と、
前記表面層の下面に接合された高密度ウレタンフォーム製のクッション層であって３．０ｍｍ以上の厚さを有するクッション層と、
前記クッション層の下面に接合された合成ゴムシート製のグリップ層を備えたことを特徴とする多層構造のマウスパッド。
【考案の詳細な説明】
【技術分野】
【０００１】
本考案は、多層構造のマウスパッドに関し、特に表面に微細な凹凸を形成可能な表面層と、その下面に接合された復原性に優れる高密度ウレタンフォームからなるクッション層と、高摩擦の合成ゴムシート製のグリップ層を備えた多層構造のマウスパッドに関するものである。
【背景技術】
【０００２】
Ｗｅｂ上に掲載されている第１のマウスパッドは、表面層がポリエステルシートで、裏面層がオレフィン系シートで形成された２層構造のマウスパッド（厚さ０．３ｍｍ）である。第２のマウスパッドは、表面がポリエチレンテレフタレートシートで、裏面がポリ塩化ビニル発泡シートで形成された２層構造のマウスパッド（厚さ１．２ｍｍ）である。
【０００３】
第３のマウスパッドは、抗菌機能と帯電防止機能を有するマウスパッドで、表面が銀繊維を含むポリエステル生地で形成され、裏面が天然ゴムシートで形成されたマウスパッド（厚さ３．０ｍｍ）である。
【０００４】
特許文献１に記載された印刷可能なマウスパッド(厚さ約０．３ｍｍ)は、表面に絵柄や模様を印刷可能とするため合成樹脂製のコーティングシートが形成され、このコーティングシートの下面に布又は合成樹脂層からなる主体基材が接合され、この主体基材の下面にポリウレタンやポリ塩化ビニル製のラバーシートが接合され、このラバーシートの下面に剥離により除去される底部シートが粘着されている。
【０００５】
このマウスパッドは、主体基材とラバーシートからなる２層構造のマウスパッドを前提とし、マウスパッドの表面にユーザーが所望の絵柄や模様を印刷可能とするために、滑らかな表面を有する合成樹脂製のコーティングシートを接合したものである。
【先行技術文献】
【特許文献】
【０００６】
【特許文献１】実用新案登録第３１３９２１９号公報
【考案の概要】
【考案が解決しようとする課題】
【０００７】
ｅスポーツ等において高速で長時間操作されるマウスパッドの場合、表面層が肌にべたついたり、貼りついたりせずに、サラリとした手触り得られ、クッション層の感触を妨げないだけの薄さが必要である。
【０００８】
しかし、前記第１，第２のマウスパッドでは、表面層がシート等で形成されているため、織布のようなサラリとした手触り感を発揮できず、上記の表面層の機能を発揮させることは難しい。特許文献１のマウスパッドにおいても、表面のコーティング層の表面に絵柄や模様を印刷するため、コーティング層の表面は滑らかに形成する必要があるため、織布のようなサラリとした手触り感を発揮できず、上記の表面層の好ましい機能を発揮させることは難しい。
【０００９】
しかも、前記の表面層の下面に接合されるクッション層の機能としては、残留歪みが小さく、長時間の使用でも殆どへたることのない復原性が必要であり、長時間の使用時の手首の疲労を和らげる柔らかさが必要であり、所定の厚さが必要である。
【００１０】
しかし、前記第１のマウスパッドでは、裏面にオレフィン系シートがあるが、全体の厚さが０．３ｍｍで非常に薄いため、上記のクッション層の好ましい機能を発揮できるものではなく、クッション層に相当するものがない。
前記第２のマウスパッドでは、裏面に滑り止めの為のポリ塩化ビニル発泡シートが設けられているが、全体の厚さが１．２ｍｍで非常に薄いため、上記のクッション層の好ましい機能を発揮できるものではなく、クッション層に相当するものがない。
【００１１】
前記第３のマウスパッドでは、裏面の天然ゴム層がクッション層を兼ねるものであろうが、天然ゴム層はウレタン発泡体等と比較べると柔軟性に欠ける上、天然ゴムは異臭が出ることが多く、アレルギーを引き起こす場合もある。
【００１２】
前記特許文献１のマウスパッドでは、主体基材の下面にポリウレタンやポリ塩化ビニル製のラバーシートを設けており、これがクッション層を兼ねるものであろうが、ポリウレタンやポリ塩化ビニルは、ウレタン発泡体等と比較べると柔軟性や復原性の面で劣り、長時間の使用の場合にはへたりが生じ易く、手首の疲労を惹起しやすい。
【００１３】
本発明の目的は、滑らかで手触り感に優れ且つ適度の抵抗感のある表面層と、復元性とクッション性に優れ且つヘタリが発生しにくいクッション層を備えた多層構造のマウスパッドを提供することである。
【課題を解決するための手段】
【００１４】
請求項１の多層構造のマウスパッドは、合成樹脂繊維製の織布からなる表面層と、前記表面層の下面に接合された高密度ウレタンフォーム製のクッション層であって３．０ｍｍ以上の厚さを有するクッション層と、前記クッション層の下面に接合された合成ゴムシート製のグリップ層を備えたことを特徴としている。
【００１５】
上記の構成によれば、合成樹脂繊維製の織布からなる表面層は、表面に微細な凹凸があるため、肌へのべたつきがなく、サラリとした手触り感があり、適度な抵抗感がでるため、マウスパッドの操作性を高めることができる。
【００１６】
前記クッション層は高密度ウレタンフォーム製であって３．０ｍｍ以上の厚さを有するクッション層であるため、圧縮残留歪みが小さく、復元性に優れ長時間使用してもへたることがなく、マウスに力を加えた際に沈み込んでマウスの滑りを抑制する作用があり、手首の疲労も少ない。
【００１７】
前記グリップ層は、合成ゴムシート製のものであるので、耐候性、耐薬品性、耐熱性に優れ、極薄のシート状でも安定した寸法と高い摩擦力を発揮し、クッション性能を発揮できるため表面層の柔らかさを妨げることがない。
【００１８】
請求項２の多層構造のマウスパッドは、請求項１の考案において、前記表面層が合成樹脂繊維製のウーリー糸で織ったアムンゼン生地で形成されたことを特徴としている。上記の構成によれば、表面層がふんわりと軟らかく加工されたウーリー糸で織ったアムンゼン生地で形成されているため、やさしい手触り感となり、アムンゼン生地では梨地状の細かい凹凸を形成できるため、適度な滑り性を維持しながら、適度な抵抗感を出すことができる。
【００１９】
請求項３の多層構造のマウスパッドは、合成樹脂繊維とガラス繊維製の織布からなる表面層と、前記表面層の下面に接合された高密度ウレタンフォーム製のクッション層であって３．０ｍｍ以上の厚さを有するクッション層と、前記クッション層の下面に接合された合成ゴムシート製のグリップ層を備えたことを特徴としている。
【００２０】
上記の構成によれば、表面層が合成樹脂繊維とガラス繊維製の織布からなるため、肌へのべたつきがなく、サラリとした手触り感があり、適度な抵抗感がでるため、マウスパッドの操作性を高めることができる。ガラス繊維により、滑り易く、撥水性と防汚性に優れる。尚、クッション層とグリップ層については、請求項１と同様である。
【００２１】
請求項４の多層構造のマウスパッドは、ガラス繊維製織布の少なくとも上側表面にフッソ樹脂を被覆した表面層と、前記表面層の下面に接合された高密度ウレタンフォーム製のクッション層であって３．０ｍｍ以上の厚さを有するクッション層と、前記クッション層の下面に接合された合成ゴムシート製のグリップ層を備えたことを特徴としている。
【００２２】
上記の構成によれば、表面層がガラス繊維製織布の表面にフッソ樹脂を被覆した構成であるため、サラリとした手触り感があり、適度な抵抗感がでるため、マウスパッドの操作性を高めることができる。フッソ樹脂の被覆により、滑り易く、撥水性と撥油性と防汚性に優れる。尚、クッション層とグリップ層については、請求項１と同様である。
【考案の効果】
【００２３】
本考案によれば、上述のような種々の効果が得られる。
【図面の簡単な説明】
【００２４】
【図１】本考案の実施例１に係る多層構造のマウスパッドの平面図である。
【図２】前記マウスパッドの部分分解斜視図である。
【図３】前記マウスパッドの要部の拡大断面図である。
【考案を実施するための形態】
【００２５】
以下、本考案を実施するための形態について実施例に基づいて説明する。
【実施例１】
【００２６】
この多層構造のマウスパッド１は、ｅスポーツ等における使用に適したものである。
図１〜図３に示すように、多層構造のマウスパッド１は、上下幅よりも左右幅が幾分大きな矩形状に形成されたものである。尚、４つの角部には丸みを付ける場合もある。
【００２７】
この多層構造のマウスパッド１は、合成樹脂繊維製の織布からなる表面層２（例えば、厚さ０．２ｍｍ）と、表面層２の下面に両面テープ３により接合された高密度ウレタンフォーム製のクッション層４であって３．０ｍｍ以上の厚さを有するクッション層４（例えば、厚さ３．０ｍｍ）と、クッション層４の下面に両面テープ５により接合された合成ゴムシート製のグリップ層６（例えば、厚さ０．２ｍｍ）を備えている。尚、両面テープ３，５の厚さは例えば、０．０５ｍｍである。
【００２８】
この多層構造のマウスパッド１は次の効果を奏する。
合成樹脂繊維製の織布（例えば、ポリエステル生地）からなる表面層は、表面に微細な凹凸があるため、肌へのべたつきがなく、サラリとした手触り感があり、適度な抵抗感がでるため、マウスパッドの操作性を高めることができる。
【００２９】
しかも、表面層２は、合成樹脂繊維であるポリエステル繊維のウーリー糸の織布であるアムンゼン生地で構成されている。ウーリー糸と呼ばれるふんわりと軟らかく加工された糸を使用することで、やさしい感触を実現することができる。アムンゼン生地では、縦糸横糸ともに密に織られ、細かく複雑に糸を交絡させてザラザラ感も出て、生地の薄さの割りに丈夫なものに製作することができる。
【００３０】
使用する際には、滑らかな素材で適度な滑り感が得られ、不規則且つ細かい凹凸による適度な抵抗感が得られ、薄い織布であるためクッション層４の感触が妨げられることもない。
【００３１】
前記クッション層４は、厚さ３．０ｍｍの高密度ウレタンフォームであって、微細で均一なセル構造をした半連続気泡フォームで構成されているため、圧縮残留歪みが小さく、他の素材に比べへたりが殆どなく、寸法安定性も高い。
高い復元力で長時間の使用でも殆どへたることがない。また、マウスに力を加えた際に沈み込み、マウスの滑りを抑制する。高いクッション性能により長時間のゲームプレイでも手首の疲労が少ない。
【００３２】
前記グリップ層６は、耐候性、耐薬品性、耐熱性に優れたエチレンプロピレン合成ゴムシート製のものであるので、極薄のシート状でも安定した寸法と高い摩擦力を発揮する。極薄のシート状でもクッション性能を発揮でき、表面層２の柔らかさを妨げることがない。
【００３３】
しかも、あらゆる素材（木、合成樹脂、金属）のデスクで高いグリップ力を発揮し、激しいマウス操作でもマウスパッド１がずれることがない。
天然ゴムのような異臭が少なく、アレルギーも引き起こさない。多少の汚れが付着してもグリップ力が変化しないうえ、汚れた場合でもウェットティッシュで簡単に拭き取ることができる。
【実施例２】
【００３４】
多層構造のマウスパッド（図示略）は、合成樹脂繊維とガラス繊維製の織布からなる表面層（例えば、厚さ０．２ｍｍ）を採用した点以外は、実施例１のマウスパッドと同構造であるので、異なる構造についてのみ説明する。
【００３５】
合成樹脂繊維とガラス繊維製の織布からなる表面層は、表面に微細な凹凸があるため、肌へのべたつきがなく、サラリとした手触り感があり、適度な抵抗感がでるため、マウスパッドの操作性を高めることができる。しかも、ガラス繊維を加えない場合に比べて、滑り易く、撥水性と防汚性に優れる。
尚、クッション層とグリップ層については実施例１と同様である。
【実施例３】
【００３６】
多層構造のマウスパッド（図示略）は、ガラス繊維製織布の少なくとも上側表面にフッソ樹脂を被覆した表面層（例えば、厚さ０．２ｍｍ）を採用した点以外は、実施例１のマウスパッドと同構造であるので、異なる構造についてのみ説明する。
表面層がガラス繊維製織布の少なくとも上側表面にフッソ樹脂を被覆した構造であるため、フッソ樹脂の被覆のない場合に比べて、滑り易く、撥水性と撥油性と防汚性に優れる。
【００３７】
織布からなる表面層は、表面に微細な凹凸があるため、肌へのべたつきがなく、サラリとした手触り感があり、適度な抵抗感がでるため、マウスパッドの操作性を高めることができる。
尚、クッション層とグリップ層については実施例１と同様である。
【００３８】
前記実施例を部分的に変更する例について説明する。
１）マウスパッドの形状は矩形状に限定される訳ではなく、種々の形状に構成することができる。また、実施例１の表面層に適用する合成樹脂繊維はポリエステル樹脂に限るものではなく、ポリエステル樹脂と同等の機能を有するその他の合成樹脂繊維を採用する場合もある。
２）その他、当業者ならば本考案の趣旨を逸脱しない範囲で前記実施例に種々の変更を付加した形態で実施可能であり、本考案はその種の変更形態をも包含するものである。
【符号の説明】
【００３９】
１    マウスパッド
２    表面層
３    両面テープ
４    クッション層
５    両面テープ
６    グリップ層
【図１】
0003226193.tif 000003
【図２】
0003226193.tif 000004
【図３】
0003226193.tif 000005